(57)【特許請求の範囲】
【請求項１】
一対の平板状回転部材２，３の夫々内側縁上部から対向突出した耳片２ｏ，３ｏどうしを枢着ピン４で枢着してなる回転金具１の両回転部材２，３を、前後一対の脚体５，６の外側面上端部側に夫々取り付けることによって、両脚体５，６の上端部を枢支連結してなる梯子兼用脚立において、
回転金具１の両回転部材２，３は、夫々の上端部及び下端部が、両脚体５，６の外側面上端部側に夫々複数個のリベット７，７、８，８によって鋲着されると共に、両回転部材２，３の夫々下端部を鋲着する複数個のリベット８，８は、梯子使用状態で両回転部材２，３が転回してその上端縁部１５，１６どうしが突き合わさった時にその突き合わさった端縁部１５，１６の、前記枢着ピン４とは反対側の端部Ｏを中心とする所定半径Ｒの円周Ｃ上に配置され、回転金具１の両回転部材２，３の夫々外側縁下端部には前記枢着ピン４とは反対側の端部Ｏを中心とする所定半径Ｒの円周Ｃ上に、回転部材２，３の外側端縁から直角に曲折されて脚体５，６の外側端面１９に係止するズレ止め１７，１８が設けられていることを特徴とする梯子兼用脚立。
【発明の詳細な説明】
【技術分野】
【０００１】
本発明は、前後一対の梯子状脚体の上端部が回転可能に連結されてなる梯子兼用脚立に関する。
【背景技術】
【０００２】
図６の(a) は従来の梯子兼用脚立Ｂの脚立状態での使用を示す側面図、(b) は(a) のＸ−Ｘ線断面図、(c) は同梯子兼用脚立Ｂの梯子状態での使用を示す側面図である。この従来の梯子兼用脚立Ｂは、一対の平板状回転部材１２，１３の夫々内側縁上部から対向突出した耳片１２ｏ，１３ｏどうしを枢着ピン４で枢着してなる回転金具１１の両回転部材１２，１３の夫々上端部及び下端部を、前後一対の脚体５，６の外側面上端部側に夫々複数個のリベット７，７、８，８で取り付け、これによって両脚体５，６の上端部を枢支連結してなるものである。前後各脚体５，６は、左右一対の支柱９，９と両支柱９，９間に横架される複数個の踏桟１０とから構成される。
【発明の開示】
【発明が解決しようとする課題】
【０００３】
図７は、従来の梯子兼用脚立Ｂの梯子状態での使用における回転金具１１とリベット７，８の位置関係を詳細に示している。尚、リベット７は両回転部材１２，１３の夫々上端部を脚体５，６の外側面上端部側に鋲着するリベット、リベット８は両回転部材１２，１３の夫々下端部を脚体５，６の外側面上端部側に鋲着するリベットである。
【０００４】
梯子兼用脚立の梯子状態での使用において、各脚体５，６の支柱９に最も負荷が係る場所は梯子の中央部である。図示のように、支柱９に対し垂直方向の荷重をＰ２とすれば、この荷重Ｐ２は左右の回転部材１２，１３が転回して上端部どうしが突き合わさる端縁部１５，１６にかかることになる。しかして、この荷重Ｐ２により、各脚体５，６の支柱９部分は、回転部材１２，１３の突き合わせ端縁部１５，１６の、前記枢着ピン４とは反対側の端部Ｑを中心に最も遠く弱い場所で破壊される。通常、アルミ合金製梯子兼用脚立の回転金具１１まわりは、回転部材１２，１３、支柱９、リベット７，８で構成されており、最も弱い場所は、枢着ピン４と反対側の端部Ｑを中心として最も遠い位置にあるリベット８の取付孔（図示せず）のある場所となる。
【０００５】
然るに、従来の梯子兼用脚立Ｂの回転金具１１とリベット７，８の位置関係を示す図７を参照すると、回転部材１２，１３の夫々下端部を脚体５，６側に鋲着する複数個のリベット８，８が、中心Ｑから半径Ｒ１の円周Ｃ１上に揃っていないことから、全て同じリベットで固定されていることを条件として、支柱９に対し垂直方向の荷重Ｐ２がかかると、中心Ｑから最も遠い半径Ｒ１の円周Ｃ１上にあるリベット８（特に８ａとする）が荷重Ｐ２を受けて破壊される。
【０００６】
最も遠い半径Ｒ１の円周Ｃ１上にあるリベット８ａが破壊されると、２番目に遠い位置にあるリベット８、即ち円周Ｃ１の内側にあるリベット８（中心Ｑから半径Ｒ２の円周Ｃ１上にあり、特に８ｂとする）が破壊される。半径Ｒ２は半径Ｒ１より距離が近いため、リベット８ａより低い荷重で破壊されることになり、しかしてリベット８ａが破壊されると、それより近い位置にあるリベットが次々と破壊されていくことになる。
【０００７】
本発明は、上記のような課題に鑑みて、梯子状態での使用における破壊荷重に耐え得る構造の梯子兼用脚立を提供することを目的とする。
【課題を解決するための手段】
【０００８】
上記課題を解決するための手段を、後述する実施形態の参照符号を付して説明すると、請求項１に係る発明は、一対の平板状回転部材２，３の夫々内側縁上部から対向突出した耳片２ｏ，３ｏどうしを枢着ピン４で枢着してなる回転金具１の両回転部材２，３を、前後一対の脚体５，６の外側面上端部側に夫々取り付けることによって、両脚体５，６の上端部を枢支連結してなる梯子兼用脚立において、
回転金具１の両回転部材２，３は、夫々の上端部及び下端部が、両脚体５，６の外側面上端部側に夫々複数個のリベット７，７、８，８によって鋲着されると共に、両回転部材２，３の夫々下端部を鋲着する複数個のリベット８，８は、梯子使用状態で両回転部材２，３が転回してその上端縁部１５，１６どうしが突き合わさった時にその突き合わさった端縁部１５，１６の、前記枢着ピン４とは反対側の端部Ｏを中心とする所定半径Ｒの円周Ｃ上に配置され、回転金具１の両回転部材２，３の夫々外側縁下端部には前記枢着ピン４とは反対側の端部Ｏを中心とする所定半径Ｒの円周Ｃ上に、回転部材２，３の外側端縁から直角に曲折されて脚体５，６の外側端面１９に係止するズレ止め１７，１８が設けられていることを特徴とする。
【発明の効果】
【００１０】
上記解決手段による発明の効果を、後述する実施形態の参照符号を付して説明すると、請求項１に係る発明によれば、回転金具１の回転部材２，３の夫々下端部を両脚体５，６に対し鋲着する複数個のリベット８，８を、梯子状態での使用において両回転部材２，３の上端縁部１５，１６どうしが突き合わさった時にその突き合わさった端縁部１５，１６の、枢着ピン４とは反対側の端部Ｏを中心とする所定半径Ｒの円周Ｃ上に配置することにより、複数のリベット８，８で破壊荷重を分散して耐え得る構造となるから、回転金具１の耐用性が向上し、梯子兼用脚立Ａの使用寿命を大幅に延ばすことができる。
【００１１】
また本発明によれば、ズレ止め１７，１８を設けているから、支柱９に垂直方向の荷重Ｐ２が作用する時、各回転部材２，３の下端部側が夫々内側へ引っ張られても、その引張力をズレ止め１７，１８で受けることにより、各回転部材２，３の下端部のリベット８のズレを防止することができる。
【発明を実施するための最良の形態】
【００１２】
以下に本発明の好適な一実施形態を図面に基づいて説明すると、図１の(a) は本発明に係る梯子兼用脚立Ａの脚立状態での使用を示す側面図、(b) は梯子状態での使用を示す側面図である。この梯子兼用脚立Ａは、図６に示す従来の梯子兼用脚立Ｂと同様に、一対の平板状回転部材２，３の夫々内側縁上部から対向突出した耳片２ｏ，３ｏどうしを枢着ピン４で枢着してなる回転金具１の両回転部材２，３の夫々上端部及び下端部を、前後一対の脚体５，６の外側面上端部側に夫々複数個のリベット７，７、８，８で取り付けることによって、両脚体５，６の上端部を枢支連結してなるもので、前後各脚体５，６は、左右一対の支柱９，９と両支柱９，９間に横架される複数個の踏桟１０とから構成される。
【００１３】
この梯子兼用脚立Ａを梯子状態で使用する時、脚立５，６の支柱９に最も負荷がかかる場所は、図２に示すように梯子中央部であり、この時の鉛直下向き荷重はＰ１とされる。この時、図３に示すように支柱９に対し垂直方向の荷重をＰ２とすれば、この荷重Ｐ２は左右の回転部材２，３が転回して上端部どうしが突き合わさる端縁部１５，１６（合わせ面）にかかることになる。この荷重Ｐ２により、各脚体５，６の支柱９部分は、回転部材２，３の突き合わせ端縁部１５，１６の、枢着ピン４とは反対側の端部Ｏを中心に最も遠く弱い場所で破壊される。通常、アルミ合金製梯子兼用脚立の回転金具１まわりは、回転部材２，３、支柱９、リベット７，８によって構成されており、そして最も弱い場所は、枢着ピン４とは反対側の端部Ｏを中心として最も遠い位置にあるリベット８の取付孔８ｏ（図４及び図５参照）のある場所となる。
【００１４】
上記のような条件によって、通常の梯子兼用脚立は強度的に最も弱い場所が決定され、しかして本発明に係る梯子兼用脚立Ａでは、その１箇所で破壊荷重に耐え得る構造となっている。
【００１５】
即ち、本発明に係る梯子兼用脚立Ａにおいて、回転金具１は、図６及び図７に示す従来の回転金具１１と同じく、一対の平板状回転部材２，３の夫々内側縁上部から対向突出した耳片２ｏ，３ｏどうしを枢着ピン４により枢着してなるもので、両回転部材２，３は、夫々の上端部及び下端部が、両脚体５，６の支柱９の外側面上端部側に夫々複数個の上端部用リベット７，７及び下端部用リベット８，８によって鋲着されると共に、両回転部材２，３の夫々下端部を脚体５，６に鋲着する複数個のリベット８，８は、梯子状態での使用時に両回転部材２，３が転回してその上端縁部１５，１６どうしが突き合わさった時にその突き合わさった端縁部１５，１６の、前記枢着ピン４とは反対側の端部Ｏを中心とする所定半径Ｒの円周Ｃ上に配置されており、それにより複数個の下端部用リベット８，８で破壊荷重を分散して耐え得る構造となっている。
【００１６】
また、回転金具１の両回転部材２，３の夫々外側縁下端部には前記端部Ｏを中心とする所定半径Ｒの円周Ｃ上に、回転部材２，３の外側端縁から直角に曲折されて支柱９の外端面に係止するズレ止め１７，１８を設けることによって、前記リベット８，８と共にこのズレ止め１７，１８も破壊荷重に耐え得る構造となっている。このズレ止め１７，１８は、支柱９に垂直方向の荷重Ｐ２が作用する時に各回転部材２，３の下端部側が夫々内側へ引っ張られることから、その引張力を支柱９の外端面１９で支持し、それにより各回転部材２，３の下端部のリベット８，８のズレを防止するものである。
【００１７】
上記のように、回転金具１の回転部材２，３の夫々下端部を、梯子状態での使用の際に両回転部材２，３の上端縁部１５，１６どうしが突き合わさった時にその突き合わさった端縁部１５，１６の、前記枢着ピン４とは反対側の端部Ｏを中心とする所定半径Ｒの円周Ｃ上に配置した複数個の下端部用リベット８，８で両脚体５，６の支柱９に鋲着することにより、複数の下端部用リベット８，８で破壊荷重を分散して耐え得る構造となるから、回転金具１の耐用性が向上して、梯子兼用脚立Ａの使用寿命を大幅に延ばすことができるようになる。
【００１８】
図４は回転金具１の一方の回転部材２を示すもので、(a) は正面図、(b) は左側面図、(c) は平面図である。この図４に示すように、回転部材２には上端部にリベット７を取り付けるためのリベット取付用孔７ｏが例えば２つ設けられ、下端部にはリベット８を取り付けるためのリベット取付用孔８ｏが例えば２つ設けられ、また回転部材２の外側縁下端部にズレ止め１７が直角に曲折された状態で設けられている。また、耳片２ｏの先端部には枢着ピン４を取り付けるための孔４ｏが設けられている。また、回転部材２の上端縁部１５は、(b)の側面図 に示すように回転部材２の本体部上端から直角に折曲して形成されている。
【００１９】
図５は回転金具１の他方の回転部材３を示すもので、(a) は正面図、(b) は左側面図、(c) は平面図である。この図５に示すように、回転部材３には上端部にリベット７を取り付けるためのリベット取付用孔７ｏが２つ設けられ、下端部にはリベット８を取り付けるためのリベット取付用孔８ｏが２つ設けられ、また回転部材３の外側縁下端部にズレ止め１８が直角に曲折された状態で設けられている。また、耳片３ｏの先端部には枢着ピン４を取り付けるための孔４ｏが設けられている。回転部材３の上端縁部１６は、(b)の側面図 に示すように回転部材３の本体部上端から直角に折曲して形成されている。
【図面の簡単な説明】
【００２０】
【図１】(a) は本発明に係る梯子兼用脚立の脚立状態での使用を示す一部拡大側面図、(b) は梯子状態での使用を示す一部拡大側面図である。
【図２】本発明に係る梯子兼用脚立の梯子使用状態での全体側面図である。
【図３】梯子兼用脚立の梯子使用状態において支柱に垂直荷重が係る状態を示す側面図、(b) は(a) の一部拡大図で、回転金具とリベットとの位置関係を詳細に示す説明図である。
【図４】回転金具の一方の回転部材を示すもので、(a) は正面図、(b) は左側面図、(c) は平面図である。
【図５】回転金具の他方の回転部材を示すもので、(a) は正面図、(b) は左側面図、(c) は平面図である。
【図６】(a) は従来の梯子兼用脚立の脚立状態での使用を示す側面図、(b) は(a) のＸ−Ｘ線断面図、(c) は同梯子兼用脚立の梯子状態での使用を示す側面図である。
【図７】従来の梯子兼用脚立の梯子状態での使用における回転金具とリベットの位置関係を詳細に示す説明図である。
【符号の説明】
【００２１】
Ａ            梯子兼用脚立
１            回転金具
２，３        回転部材
４            枢着ピン
５，６        脚体
７            回転部材の上端部を鋲着するリベット
８            回転部材の下端部を鋲着するリベット
９            脚体の支柱
１５，１６    回転部材の上端縁部
１７，１８    ズレ止め
Ｂ            従来の梯子兼用脚立
【図１】
0004874190.tif 000002
【図２】
0004874190.tif 000003
【図３】
0004874190.tif 000004
【図４】
0004874190.tif 000005
【図５】
0004874190.tif 000006
【図６】
0004874190.tif 000007
【図７】
0004874190.tif 000008